(57)【要約】【課題】粉粒体の良好な繰り出しを行うことが可能となる粉粒体散布装置を提供する。【解決手段】粉粒体を貯留するホッパー３３と、そのホッパー３３の下部に形成された出口３４を通して粉粒体を所定量ずつ繰り出す繰り出し部３５と、ホッパー３３の内部に貯留される粉粒体を攪拌する駆動操作式の攪拌用移動体６５とが備えられている。【選択図】図３
2014064526.tif 000002
【特許請求の範囲】
【請求項１】
粉粒体を貯留するホッパーと、そのホッパーの下部に形成された出口を通して前記粉粒体を所定量ずつ繰り出す繰り出し部と、前記ホッパーの内部に貯留される粉粒体を攪拌する駆動操作式の攪拌用移動体とが備えられている粉粒体散布装置。
【請求項２】
前記攪拌用移動体が、横軸芯周りで回転駆動される回転軸と、その回転軸の外周部から径方向外方に突出する攪拌用突出部とを備えて構成されている請求項１記載の粉粒体散布装置。
【請求項３】
前記繰り出し部が横方向に沿って間隔をあけて並ぶ状態で複数設けられ、
前記回転軸が横方向に沿って延びる状態で備えられ、且つ、前記攪拌用突出部が複数の前記繰り出し部に対応させて複数備えられている請求項２記載の粉粒体散布装置。
【請求項４】
複数の前記攪拌用突出部が前記回転軸の周方向に位相を異ならせる状態で備えられている請求項３記載の粉粒体散布装置。
【請求項５】
前記ホッパーが横方向に沿って複数並ぶ状態で備えられ、
前記回転軸が複数のホッパー夫々を貫通する状態で装置全幅に亘って延設されている請求項３又は４記載の粉粒体散布装置。
【請求項６】
前記回転軸の長手方向一端部から動力を伝達して前記回転軸を回転駆動する伝動機構が備えられている請求項３〜５のいずれか１項に記載の粉粒体散布装置。
【発明の詳細な説明】
【技術分野】
【０００１】
本発明は、ホッパーにて貯留される肥料や種籾等の粉粒体を、そのホッパーの下部に形成された出口を通して繰り出し部によって所定量ずつ繰り出して圃場に散布するように構成された粉粒体散布装置に関する。
【背景技術】
【０００２】
上記粉粒体散布装置において、従来では、ホッパーには下端部の出口に向かって漏斗状の案内面が形成されており、ホッパーの内部に貯留される粉粒体が、漏斗状の案内面によって出口から繰り出し部に向けて流下案内されて、繰り出し部によって繰り出されるように構成されていた（例えば、特許文献１参照。）。
【先行技術文献】
【特許文献】
【０００３】
【特許文献１】特開平９−３７６１１号公報
【発明の概要】
【発明が解決しようとする課題】
【０００４】
上記粉粒体散布装置における繰り出し対象となる粉粒体としては、圃場に散布供給される肥料あるいは種籾など種々のものがある。そして、種籾において、粒の端部に細長いヒゲ状の繊維を有する種類の種籾がある。そのような種類の種籾を粉粒体散布装置の散布対象とする場合、ホッパー内部に貯留されているときに、粉粒体同士において繊維が絡み合う等の要因により、粉粒体が分離し難くなることがある。又、このような特殊な種類の種籾だけでなく、一般的な種類の種籾であっても、粉粒体に含まれる水分が多い場合においても、粉粒体同士がくっついて分離し難くなることがある。
【０００５】
そして、上記従来構成において、上述したような分離し難くなるおそれがある粉粒体を散布対象とする場合には、粉粒体同士が塊状になって下方側の出口付近において空洞が発生して粉粒体がブリッジ状態となることがあり、このような状態では、ホッパーの内部に粉粒体が残っているにもかかわらず、ホッパー下部の出口から繰り出しが行うことができないおそれがある。
【０００６】
本発明の目的は、粉粒体の良好な繰り出しを行うことが可能となる粉粒体散布装置を提供する点にある。
【課題を解決するための手段】
【０００７】
本発明に係る粉粒体散布装置の特徴構成は、粉粒体を貯留するホッパーと、そのホッパーの下部に形成された出口を通して前記粉粒体を所定量ずつ繰り出す繰り出し部と、前記ホッパーの内部に貯留される粉粒体を攪拌する駆動操作式の攪拌用移動体とが備えられている点にある。
【０００８】
本構成によれば、例えば、ホッパーの内部に貯留されている粉粒体が互いに分離し難く塊状になり易い性状のものであっても、ホッパーの内部に備えられる攪拌用移動体によって貯留される粉粒体を攪拌することで、塊状になっている粉粒体群を攪拌して解すことにより分離させることができる。
【０００９】
その結果、粉粒体群がホッパー内部でブリッジ状態になることを回避することができ、繰り出し部による繰り出し操作によってホッパー内部の粉粒体を適切に繰り出すことができる。
【００１０】
従って、粉粒体の良好な繰り出しを行うことが可能となる粉粒体散布装置を提供できるに至った。
【００１１】
本発明においては、前記攪拌用移動体が、横軸芯周りで回転駆動される回転軸と、その回転軸の外周部から径方向外方に突出する攪拌用突出部とを備えて構成されていると好適である。
【００１２】
本構成によれば、回転軸を横軸芯周りで回転させると、径方向外方に突出する攪拌用突出部が一体的に回動するので、ホッパー内に貯留されている粉粒体群に対して、攪拌用突出部により良好に攪拌作用を発揮することができる。
【００１３】
このように、回転軸と攪拌用突出部という簡単な構成で、攪拌作用を発揮させて粉粒体の良好な繰り出しを行うことが可能となる。
【００１４】
本発明においては、前記繰り出し部が横方向に沿って間隔をあけて並ぶ状態で複数設けられ、前記回転軸が横方向に沿って延びる状態で備えられ、且つ、前記攪拌用突出部が複数の前記繰り出し部に対応させて複数備えられていると好適である。
【００１５】
本構成によれば、回転軸が回転すると、複数の攪拌用突出部が複数の繰り出し部の夫々において適切に攪拌作用を発揮させることができる。つまり、複数の繰り出し部において、一挙に粉粒体を繰り出し供給して散布させることができ、粉粒体散布作業を能率よく行うことができるものでありながら、複数の繰り出し部において、ブリッジ現象等のない状態で粉粒体の良好な繰り出しを行うことが可能となる。
【００１６】
本発明においては、複数の前記攪拌用突出部が前記回転軸の周方向に位相を異ならせる状態で備えられていると好適である。
【００１７】
回転軸の回転操作に伴って攪拌用突出部によって粉粒体群を攪拌する際には、攪拌用突出部が、ホッパー内部に貯留されている粉粒体群の上方に位置する空間を移動する空転状態と、粉粒体群に対して突入して粉粒体群の攪拌作用を発揮させる作用状態とを交互に繰り返すことになる。
【００１８】
例えば、複数の攪拌用突出部が回転軸の周方向に同一の位相で備えられる構成とした場合、複数の攪拌用突出部が略同じタイミングで前記空転状態と前記作用状態とを交互に繰り返すことになる。このような構成では、複数の攪拌用突出部が略同時に前記空転状態から前記作用状態に切り換わると、回転軸に対して一時的に大きな駆動負荷が掛かるおそれがある。
【００１９】
そこで、本構成では、複数の攪拌用突出部を回転軸の周方向に位相を異ならせる状態で備えるようにした。このように構成することで、複数の攪拌用突出部における前記空転状態から前記作用状態に切り換わるタイミングを互いに異ならせることができ、回転軸に対する駆動負荷を分散させて、回転軸に対して一時的に大きな駆動負荷が掛かることを回避させることができる。
【００２０】
本発明においては、前記ホッパーが横方向に沿って複数並ぶ状態で備えられ、前記回転軸が複数のホッパー夫々を貫通する状態で装置全幅に亘って延設されていると好適である。
【００２１】
本構成によれば、１つの回転軸を駆動回転させることにより、複数のホッパーの夫々において、ホッパーの下方に位置する繰り出し部により、ブリッジ現象等のない状態で粉粒体の良好な繰り出しを行うことが可能となる。
【００２２】
その結果、１つの回転軸を回転させるという簡素な駆動構造により、複数の繰り出し部において粉粒体の良好な繰り出しを行うことができる。
【００２３】
本発明においては、前記回転軸の長手方向一端部から動力を伝達して前記回転軸を回転駆動する伝動機構が備えられていると好適である。
【００２４】
本構成によれば、伝動機構は、回転軸の長手方向一端部、すなわち、粉粒体散布装置の横側端部に備えられる。ところで、粉粒体散布装置の横側端部には、複数の繰り出し部を駆動するための繰り出し用の伝動機構等も備えられることになる。そこで、このような繰り出し用の伝動機構等を有効に利用することで、伝動構造を大幅に改良することなく、簡単な構造改良で、攪拌用移動体における回転軸を駆動させることが可能となる。
【図面の簡単な説明】
【００２５】
【図１】直播機の全体側面図である。
【図２】播種装置の後面図である。
【図３】播種装置の一部を示す後面図である。
【図４】播種装置の側面図である。
【図５】種籾繰り出し部の縦断側面図である。
【図６】種籾繰り出し部の縦断後面図である。
【図７】攪拌用移動体の分解斜視図である。
【図８】別実施形態の攪拌用移動体の分解斜視図である。
【図９】播種装置の伝動構造を示す図である。
【図１０】（ａ）は、攪拌用回転軸の右側端部の支持構造を示す一部切欠後面図、（ｂ）は、攪拌用回転軸の右側端部の支持構造を示す側面図である。
【発明を実施するための形態】
【００２６】
以下、本発明の実施の形態を、粉粒体散布装置の一例としての播種装置を備えた直播機に適用したものについて図面に基づいて説明する。
【００２７】
図１に示すように、直播機は、左右一対の操向操作及び駆動自在な前輪１と左右一対の駆動自在な後輪２とによって自走する走行車体３の後部に、リンク機構４を介して作業部５が昇降自在に連結されている。又、走行車体３の後部に位置する状態で施肥装置６が備えられている。
【００２８】
走行車体３は、車体前部にエンジン７を備え、このエンジン７が出力する動力をミッションケース８に入力し、このミッションケース８に入力した駆動力を前輪１及び後輪２に伝達して走行する。又、ミッションケース８に入力したエンジン７からの動力を、車体フレーム９の下方に位置する第１回転軸１０と、この第１回転軸１０の後端部から車体後方向きに延出した第２回転軸１１とを介して、作業部５の中央伝動ケース１２に伝達する。
【００２９】
作業部５は、作業部フレーム１３により支持される状態で、稲の種籾ａを６条分圃場に供給する播種装置１４と、雑草防止などの薬剤を圃場に供給する薬剤供給装置１５と、車体横方向に並べて取り付けられた４つの接地フロート１６とを備えている。
【００３０】
図１に示すように、リンク機構４は、車体フレーム９の後部から後方向きに上下揺動自在に延出する上部リンク４ａ及び下部リンク４ｂと、それらの後端部に連結された後部リンク４ｃとを備えている。後部リンク４ｃには、作業部フレーム１３が連結されている。又、リンク機構４は、車体フレーム９と後部リンク４ｃに亘って連結された油圧シリンダ１７によって上下に揺動操作されて、作業部５を、接地フロート１６が圃場に接地した下降作業位置と接地フロート１６が圃場から上昇した上昇非作業位置とに昇降操作する。
【００３１】
図４に示すように、作業部フレーム１３は、断面が角筒状で且つ車体横幅方向に沿って長尺状に延びるメインフレーム体１８と、そのメインフレーム体１８から後方側に車体横方向に間隔をあけて複数の前後向きフレーム体１９と、その前後向きフレーム体１９の後端から上向きに延設される複数の縦向きフレーム体２０と、複数の縦向きフレーム体２０の夫々に連結されて車体横幅方向に沿って延びる上部側横向きフレーム体２１とを備えて構成されている。この上部側横向きフレーム体２１は、角筒状に構成され、且つ、車体横幅方向に沿って長尺状に延びる状態で備えられている。
【００３２】
後部リンク４ｃは、作業部フレーム１３を車体前後向きのローリング軸芯Ｘまわりにローリング自在に支持しており、作業部５は、走行車体３の左右傾斜にかかわらず車体横方向で水平状態になるように、走行車体３に対してローリング軸芯Ｘまわりにローリングする。
【００３３】
この直播機は、作業部５を下降作業位置に下降させて走行させると、播種装置１４によって稲の種籾ａを６条分圃場に散布供給する播種作業と、施肥装置６によって６条の種籾ａに対する肥料供給を行なう施肥作業と、薬剤供給装置１５によって雑草防止などの薬剤を圃場に散布供給する薬剤供給作業とを行う。播種装置１４によって供給される種籾ａは、接地フロート１６の通過によって整地された箇所に供給される。
【００３４】
又、詳述はしないが、この直播機では、左右一対の作溝体２２によって圃場に排水溝を形成する作溝作業も行うようになっている。尚、左右一対の作溝体２２の機体前部側には、車輪走行跡を均すレーキ部材２３が備えられている。
【００３５】
施肥装置６について説明する。
図１に示すように、施肥装置６は、走行車体３の後部の上部に備えられ、肥料タンク２４に貯留された粒状の肥料を肥料タンク２４の下部に連設された肥料繰り出し機構２５によって肥料タンク２４から各肥料排出口（図示せず）に繰り出し、各肥料排出口に繰り出した肥料を電動ブロワ２６によって供給される搬送風によって肥料供給ホース２７を通して作溝施肥器２８に供給する。
【００３６】
図２及び図３に示すように、６つの作溝施肥器２８は、播種装置１４による６箇所の種籾ａの供給箇所の横側でかつ少し前部側に一つずつ位置するように配置してあり、各作溝施肥器２８は、播種装置１４が圃場に供給する種籾ａの横側近くで圃場に溝を形成し、その形成した溝に肥料供給ホース２７を通して肥料を供給する。
【００３７】
薬剤供給装置１５について説明する。
図１、図２及び図４に示すように、薬剤供給装置１５は、作業部フレーム１３における上部側横向きフレーム体２１から立設された支柱２９の上端部に支持されている。この薬剤供給装置１５は、粉粒体からなる薬剤を貯留する薬剤タンク３０と、図示しない操作機構により薬剤タンク３０から所定量ずつ薬剤を繰り出す薬剤繰り出し部３１と、繰り出された薬剤を拡散放出させる拡散放出部３２とを備えている。図示はしないが、拡散放出部３２は、モータ駆動式の掻き跳ね回転体によって繰り出された薬剤をケーシングの外部に飛散させて、播種装置１４によって種籾ａが供給された後の圃場に薬剤を拡散放出する。
【００３８】
播種装置１４について説明する。
図２〜図６に示すように、播種装置１４は、粉粒体の一例である鉄コーティング処理された種籾ａを貯留する貯留ホッパー３３と、貯留ホッパー３３の下部に形成された出口３４を通して種籾ａを所定量ずつ繰り出す種籾繰り出し部３５とを備えている。具体的には、種籾繰り出し部３５を車体横幅方向に並ぶ状態で６つ備えており、種籾ａを６条分圃場に供給することができるように構成されている。又、貯留ホッパー３３として、左側の３つの種籾繰り出し部３５に種籾ａを供給する左側の貯留ホッパー３３Ｌと、右側の３つの種籾繰り出し部３５に種籾ａを供給する右側の貯留ホッパー３３Ｒとが備えられている。
【００３９】
種籾繰り出し部３５は、上部側横向きフレーム体２１に固定支持された繰り出しケース３６の内部に繰り出し回転体３７を備えている。図６に示すように、この繰り出し回転体３７は、繰り出しケース３６を横方向に貫通して回動自在に支持される回転支軸３８に一体回転自在に支持されている。回転支軸３８は、繰り出しケース３６の左右一対の横壁３６ａが備える支持部３６ｂに回転自在に支持されている。
【００４０】
回転支軸３８は断面形状が六角形状となっており、繰り出し回転体３７が角形嵌合により回転支軸３８と一体回動自在に外嵌装着されており、繰り出し回転体３７は、回転支軸３８における車体横向きの回転軸芯Ｐまわりに回転駆動される。
【００４１】
図５及び図６に示すように、繰り出し回転体３７は、周方向に間隔をあけて４つの繰り出し凹部３９を備えている。又、繰り出し回転体３７の外周部に摺り切りブラシ４０が備えられ、この摺り切りブラシ４０は、繰り出し回転体３７の回転に伴って繰り出し凹部３９に所定量の種籾ａを残すように摺り切り作用する。そして、繰り出し凹部３９に所定量の種籾ａを保持したままガイド部材４１により下方の排出部４２にまで移送して排出部４２から落下放出する。
【００４２】
播種筒４３は、繰り出しケース３６の下部に連設する状態で備えられ、繰り出しケース３６の排出部４２から落下した種籾ａに風が当たることを防止し、排出部４２から落下した種籾ａを圃場の泥土面の設定供給箇所に落下させる。
【００４３】
つまり、走行車体３から伝達される動力により、繰り出し回転体３７が回転支軸３８の軸芯周りに回転駆動される。繰り出し回転体３７が回転することにより、貯留ホッパー３３に貯留されている種籾ａを繰り出し凹部３９によって所定量ずつ間欠的に排出部４２に繰り出して、その種籾ａを排出部４２から自然落下させて圃場の泥土面に供給する。
【００４４】
又、繰り出し回転体３７は、周方向に沿って間隔をあけて４つの繰り出し凹部３９が形成された回転体本体３７Ａと、４つの繰り出し凹部３９に各別に係入して軸芯方向にスライド自在な４つの容量調整部３７ｃを有する容量調整体３７Ｂとを備える。
【００４５】
図５及び図６に示すように、繰り出し凹部３９は軸芯方向に沿って溝状に形成されており、容量調整体３７Ｂは、内部に備えたネジ送り機構４４により軸芯方向にスライドさせることで、溝状の繰り出し凹部３９の軸芯方向に沿う幅を変更して、繰り出し凹部３９の容量を変更することができるように構成されている。
【００４６】
すなわち、図２、図３及び図９に示すように、横軸芯周りで回動操作自在に支持される手動式の回動操作軸４５が、車体横幅方向の略全幅にわたって延設される状態で備えられ、この回動操作軸４５には、６つの種籾繰り出し部３５に対応させて６つの駆動ギア４６が一体回動自在に備えられている。又、図６に示すように、ネジ送り機構４４における回動筒軸４７に一体回転自在に且つ駆動ギア４６と噛み合う状態で調節用ギア４８が備えられている。そして、作業者が操作ハンドル４９を手動操作して回動操作軸４５を回動させると、調節用ギア４８が回動して６つの種籾繰り出し部３５における繰り出し凹部３９の容量、すなわち、種籾ａの繰り出し量を一挙に変更調整できる。
【００４７】
播種装置１４に対する伝動構造について説明する。
図１及び図９に示すように、エンジン７の動力が、ミッションケース８、第１回転軸１０及び第２回転軸１１を介して、中央伝動ケース１２に内装された前後向きの入力軸５０に伝達され、さらに入力軸５０から中央伝動ケース１２内に備えられたベベルギア機構５１を介して、横向き伝動軸５２に動力が伝達される。
【００４８】
横向き伝動軸５２は、中央伝動ケース１２から左方向に向けて播種装置１４の左側端部に備えられた側部伝動ケース５３の内部に至るまで延設されている。この横向き伝動軸５２は、中央伝動ケース１２及び側部伝動ケース５３の夫々に備えられたベアリング５４，５５により回転自在に支持されている。
【００４９】
又、各種籾繰り出し部３５における前部側箇所において車体横方向に沿って延びる状態で繰り出し用回転軸５６が備えられている。この繰り出し用回転軸５６は、図９に示すように、左側端部が側部伝動ケース５３に備えられたベアリング５７により回転自在に支持されている。そして、図３に示すように、長手方向に離間した適宜箇所において、上部側横向きフレーム体２１から延設されたブラケット５８に回転自在に支持されている。
【００５０】
図９に示すように、側部伝動ケース５３内において、横向き伝動軸５２に備えられた駆動スプロケット５９と繰り出し用回転軸５６に備えられた従動スプロケット６０とにわたって伝動チェーン６１が巻回張設され、横向き伝動軸５２と繰り出し用回転軸５６とが連動連結されている。
【００５１】
図４に示すように、繰り出し用回転軸５６は、断面形状が六角形状となっており、図９に示すように、各種籾繰り出し部３５に対応させて６つの駆動ギア６２が一体回転自在に外嵌装着されている。又、各種籾繰り出し部３５における回転支軸３８には、夫々、従動ギア６３が一体回転自在に備えられ、各種籾繰り出し部３５に対応させて備えられる各駆動ギア６２と各従動ギア６３とが夫々噛み合う状態で連動連結されている。
繰り出し用回転軸５６と各駆動ギア６２との間には、夫々、クラッチ機構６４が備えられ、６つの種籾繰り出し部３５に対する動力伝達を各別に断続させることができるように構成されている。
【００５２】
そして、この播種装置１４には、貯留ホッパー３３の内部に貯留される種籾ａを攪拌する駆動操作式の攪拌用移動体６５が備えられている。
図３に示すように、この攪拌用移動体６５は、横軸芯周りで回転駆動される攪拌用回転軸６６と、その攪拌用回転軸６６の外周部から径方向外方に突出する攪拌用突出部としての攪拌用棒状体６７とを備えて構成されている。
【００５３】
攪拌用回転軸６６は、左右一対の貯留ホッパー３３Ｌ，３３Ｒの内部を貫通する状態で、播種装置１４の横幅方向略全幅に亘って延設されている。図３及び図９に示すように、攪拌用回転軸６６の左側端部は、側部伝動ケース５３に備えられたベアリング６８により回転自在に支持されている。
【００５４】
図１０に示すように、攪拌用回転軸６６の右側端部は、上部側横向きフレーム体２１から延設された支持部材６９により支持されている。この支持部材６９は、上部側横向きフレーム体２１から固定延設されたブラケット７０と、そのブラケット７０にボルト固定された支持アーム７１と、支持アーム７１の先端に固定されたベアリング保持具７２とを備えている。ベアリング保持具７２にベアリング７３が保持されており、このベアリング７３により攪拌用回転軸６６の右側端部が回転自在に支持されている。
【００５５】
攪拌用回転軸６６は、左右一対の貯留ホッパー３３Ｒ，３３Ｌの内部を貫通するが、これらの貯留ホッパー３３Ｒ，３３Ｌを貫通する箇所においては、図示はしていないが、簡易な構成のシール材にて粉粒体の漏れを防止しながら回転自在に支持されている。
【００５６】
攪拌用棒状体６７について説明する。図７に示すように、攪拌用棒状体６７は、帯板状の部材の一端側箇所６７ａの外端縁を滑らかな湾曲状に形成し、その一端側箇所６７ａを他端側箇所６７ｂに対して約４５度捻り変形するように加工して構成されている。
【００５７】
このように、種籾ａに直接作用する箇所は滑らかな形状にして種籾ａが損傷するおそれを少なくしてあり、攪拌用棒状体６７の一端側箇所６７ａを他端側箇所６７ｂに対して約４５度捻り変形していることから、回転に伴って種籾ａを周方向に攪拌させるだけでなく回転軸芯方向にも攪拌させることができ、良好な攪拌作用を発揮することができる。
【００５８】
そして、攪拌用棒状体６７の他端側箇所６７ｂに攪拌用回転軸６６を挟み込む状態で取付部材７５を取付けることにより、攪拌用棒状体６７が攪拌用回転軸６６に一体回動自在に取り付けられている。
【００５９】
図７に示すように、取付部材７５は、外形が略六角状で且つ内部に略六角状の通過孔７６を形成した略リング状の板材を、通過孔７６の左右両側をコの字状に折り曲げ形成して構成され、コの字状に折り曲げられた幅狭の中間部７５ａに一対のボルト挿通孔７７が形成されている。
【００６０】
攪拌用棒状体６７の他端側箇所６７ｂに、取付部材７５に形成された２つのボルト挿通孔７７に対応する状態で２つのボルト挿通孔７８が形成されている。そして、攪拌用棒状体６７の他端側箇所６７ｂに取付部材７５の中間部７５ａの外面側を当て付けてボルト７９とナット８０で締め付け固定する。
【００６１】
このとき、攪拌用棒状体６７の他端側箇所６７ｂに、取付部材７５の中間部７５ａの外面側を当て付けた状態で、側面視で取付部材７５に形成される凹部８１に、攪拌用回転軸６６を位置させる状態で挟み込み、攪拌用棒状体６７と取付部材７５とをボルト７９とナット８０で締め付け固定することにより、攪拌用棒状体６７が攪拌用回転軸６６に一体回動自在に取り付けられる。
【００６２】
取付部材７５におけるコの字状に折り曲げられた幅狭の中間部７５ａの幅は、ナット８０の幅と略同じであり、ナット８０が両側縦面部７５ｂ同士の間に嵌り合って、ボルト７９を回動させるときに、ナット８０が両側縦面部７５ｂによって回り止めすることができるようになっている。このようにしてメンテナンス作業時にボルト７９の取り外し作業や締結作業が行い易いようになっている。
【００６３】
図２に示すように、攪拌用棒状体６７は、６つの種籾繰り出し部３５に対応させて位置する状態で６つ備えられ、６つの攪拌用棒状体６７が攪拌用回転軸６６の周方向に位相を異ならせる状態で備えられている。すなわち、６つの攪拌用棒状体６７は、隣接するもの同士が約１８０度位相が異なるように、互いの周方向の位相を異ならせて攪拌用回転軸６６に取付けられている。
【００６４】
又、図４及び図９に示すように、側部伝動ケース５３内において、繰り出し用回転軸５６に備えられた駆動スプロケット８２と、攪拌用回転軸６６に備えられた従動スプロケット８３とにわたって伝動チェーン８４が巻回張設され、繰り出し用回転軸５６と攪拌用回転軸６６とが連動連結されている。
【００６５】
つまり、エンジン７の動力が横向き伝動軸５２、及び、側部伝動ケース５３内に備えられた伝動機構、すなわち、横向き伝動軸５２と繰り出し用回転軸５６との間での連動機構や繰り出し用回転軸５６と攪拌用回転軸６６との間での連動機構等からなる伝動機構Ｄを介して、長手方向一端部から攪拌用回転軸６６に動力が伝達される。従って、側部伝動ケース５３内に備えられた伝動機構Ｄにより、長手方向一端部から動力を伝達されて攪拌用回転軸６６が回転駆動される。
【００６６】
そして、横向き伝動軸５２から繰り出し用回転軸５６に対する伝動部は減速比率が大きく、６つの種籾繰り出し部３５に備えられる各繰り出し回転体３７は、横向き伝動軸５２の回転速度よりも大きく減速された低速状態で回転駆動され、走行車体３が走行するに伴って適宜間隔おきに播種を行えるように構成されている。
【００６７】
又、繰り出し用回転軸５６から攪拌用回転軸６６に対する伝動部も同様に減速比率が大きく、攪拌用回転軸６６は、繰り出し用回転軸５６の回転速度よりも大きく減速された極低速状態で回転駆動される。その結果、種籾ａを損傷するおそれがなく良好に攪拌させるのに適した速度で攪拌用棒状体６７を回転させることができる。
【００６８】
〔別実施形態〕
（１）上記実施形態では、複数の攪拌用棒状体６７が攪拌用回転軸６６の周方向に位相を異ならせる状態で備えられるものを示したが、複数の攪拌用棒状体６７が同じ位相になる状態で備えられるものでもよい。
【００６９】
（２）上記実施形態では、攪拌用回転軸６６が長手方向一端部から動力が伝達される構成としたが、長手方向両側部夫々から動力が伝達される構成としてもよい。
【００７０】
（３）上記実施形態では、攪拌用回転軸６６が播種装置１４の全幅に亘って延設されるものを示したが、横方向に分割した複数の攪拌用回転軸６６を備える構成としてもよい。
【００７１】
（４）上記実施形態では、攪拌用棒状体６７が、帯板材を約４５度捻り変形させる構成とし、コの字形の取付部材７５を備える構成したが、この構成に代えて、次のように構成するものでもよい。
【００７２】
すなわち、図８に示すように、攪拌用棒状体６７が、帯板状の部材の一端側箇所を平坦な他端側箇所に対して左右両側が夫々約４５度傾いた山形形状に折り曲げ加工され、取付部材７５が、帯板状の部材の中間部が攪拌用回転軸６６を抱込むように円弧状に湾曲形成され、長手方向両側部にボルト挿通孔７７が形成される構成とするものでもよい。
【００７３】
（５）上記実施形態では、攪拌用移動体６５が、回転軸６６とその回転軸６６の外周部から径方向外方に突出する攪拌用突出部６７とを備えて構成されるものを示したが、攪拌用移動体６５としては、このような構成に限定されるものではなく、例えば、揺動運動する移動体あるいは往復スライド運動する移動体等を用いてもよく、要するに、粉粒体を攪拌するものであればよい。
【００７４】
（６）上記実施形態では、粉粒体として種籾ａを散布供給する播種装置１４を示したが、粉粒体として肥料や薬剤等の他の種類の粉粒体を散布供給する粉粒体散布装置であってもよい。
【産業上の利用可能性】
【００７５】
本発明は、肥料や種籾等の粉粒体を散布する粉粒体散布装置に適用できる。
【符号の説明】
【００７６】
３３      ホッパー
３４      出口
３５      繰り出し部
６５      攪拌用移動体
６６      回転軸
６７      攪拌用突出部
Ｄ        伝動機構
【図１】
2014064526.tif 000003
【図２】
2014064526.tif 000004
【図３】
2014064526.tif 000005
【図４】
2014064526.tif 000006
【図５】
2014064526.tif 000007
【図６】
2014064526.tif 000008
【図７】
2014064526.tif 000009
【図８】
2014064526.tif 000010
【図９】
2014064526.tif 000011
【図１０】
2014064526.tif 000012